(57)【要約】  本発明は、タブレット型及びノートブック型のコンピュータをハンドフリーで支持し、直立した状態で装置の使用を可能にするキャリアを提供する。このキャリアは、使用中の態様とキャリングケースの態様との間で切り替え可能である。このキャリアは、プラットホームと側壁が協働して可搬型のコンピュータ又は他の表示装置を受容するのに適した上部開放の容器を規定するように、内側部分及び外側部分を有するプラットホームと、この外側部分から延びる側壁とを備える。この容器は、ユーザーストラップの対向端を接続するためのストラップ固定具を取り付け、或いはさもなくば固定するための少なくとも２つの対向部分を有する。【選択図】  図１
2007514213.tif 000002
【特許請求の範囲】
【請求項１】
内側部分及び外側部分を有するプラットホームと、
前記外側部分から延びる側壁とを備えるタブレットコンピュータの支持に適するキャリアであって、
前記プラットホームと前記側壁が協働して前記タブレットコンピュータを受容するように適合された上部開放の容器を規定し、前記容器が少なくとも２つの対向部分を有することを特徴とするキャリア。
【請求項２】
前記側壁が内側部分に向けて傾斜していることを特徴とする請求項１に記載のキャリア。
【請求項３】
前記側壁が前記タブレットコンピュータの上部表面の外縁部分に重なり合うよう構成されていることを特徴とする請求項１に記載のキャリア。
【請求項４】
前記側壁が前記内側部分を向いた実質的に凹状の断面を有することを特徴とする請求項１に記載のキャリア。
【請求項５】
前記側壁が前記内側部分を実質的に囲っていることを特徴とする請求項１に記載のキャリア。
【請求項６】
前記側壁が弾性材料からなることを特徴とする請求項１に記載のキャリア。
【請求項７】
前記側壁がポリクロロプレン材料からなることを特徴とする請求項１に記載のキャリア。
【請求項８】
前記側壁が圧縮可能な材料からなることを特徴とする請求項１に記載のキャリア。
【請求項９】
前記側壁が穴のあいた材料からなることを特徴とする請求項１に記載のキャリア。
【請求項１０】
前記側壁が穴のあいた部分を有することを特徴とする請求項１に記載のキャリア。
【請求項１１】
前記側壁が少なくとも一つの角部を規定し、前記キャリアが前記タブレットコンピュータを固定するための角部ストラップを更に備えることを特徴とする請求項１に記載のキャリア。
【請求項１２】
前記側壁が縫い付けにより前記プラットホームに取り付けられていることを特徴とする請求項１に記載のキャリア。
【請求項１３】
前記容器のそれぞれの対向する側部上のストラップ固定具を更に備えることを特徴尾する請求項１に記載のキャリア。
【請求項１４】
前記ストラップ固定具に取り外し可能に取り付けられるユーザーストラップを更に備えることを特徴とする請求項１３に記載のキャリア。
【請求項１５】
前記ユーザーストラップと前記容器の間に連結された安定ストラップを更に備えることにより、前記プラットホームが直立した使用者に対して水平方向に安定化されることを特徴とする請求項１４に記載のキャリア。
【請求項１６】
前記容器のそれぞれの対向する側部上に二次的ストラップ固定具を更に備えることを特徴とする請求項１３に記載のキャリア。
【請求項１７】
前記ストラップ固定具が、前記側壁に取り付けられたＤリングであることを特徴とする請求項１３に記載のキャリア。
【請求項１８】
前記容器にちょうつがい式に可動に取り付けられたカバーを更に備えることを特徴とする請求項１に記載のキャリア。
【請求項１９】
前記カバーが前記プラットホームに縫い付けられていることを特徴とする請求項１８に記載のキャリア。
【請求項２０】
前記カバーが、前記上部開放の容器が覆われた閉鎖ケース位置と、前記上部開放の容器へのアクセスが可能な使用位置との間で移動可能であることを特徴とする請求項１８に記載のキャリア。
【請求項２１】
前記カバーが使用位置において、小フック−パイルシステムによって固定されることを特徴とする請求項２０に記載のキャリア。
【請求項２２】
前記カバーがファスナーを有する末端部のフラップを有することを特徴とする請求項１８に記載のキャリア。
【請求項２３】
前記容器が通気孔を有することを特徴とする請求項１に記載のキャリア。
【請求項２４】
前記通気孔が前記プラットホーム又は前記側壁において規定される開口であることを特徴とする請求項２３に記載のキャリア。
【請求項２５】
前記通気孔が前記プラットホームの穴のあいた部分であることを特徴とする請求項２４に記載のキャリア。
【請求項２６】
前記プラットホームが実質的に矩形であることを特徴とする請求項１に記載のキャリア。
【請求項２７】
前記容器に取り付けられたスタイラスつなぎ具を更に備えることを特徴とする請求項１に記載のキャリア。
【請求項２８】
内側部分と外側部分を有するプラットホームと、
前記外側部分から延びる側壁とを備える可搬型表示装置の支持に適するキャリアであって、
前記プラットホームと前記側壁が協働して前記表示装置を受容するように適合された上部開放の容器を規定し、前記容器が少なくとも２つの対向する側部を有し、
前記側壁が前記表示装置の上部表面の外縁部分に重なり合うように延伸可能であることを特徴とするキャリア。
【請求項２９】
前記側壁が前記内側部分を実質的に囲っていることを特徴とする請求項２８に記載のキャリア。
【請求項３０】
前記側壁が前記プラットホームを実質的に囲っていることを特徴とする請求項２８に記載のキャリア。
【発明の詳細な説明】
【技術分野】
【０００１】
本出願は、２００４年１０月２４日に出願された米国仮出願番号６０／５１３，６７７号の優先権を主張する。
【０００２】
本発明は、可搬型コンピュータ装置のためのキャリア、特にタブレット型のパーソナルコンピュータのためのキャリアに関する。
【背景技術】
【０００３】
電子技術の進展により、表示装置と検知型のユーザ入力を単一装置内で結合することが可能となった。この技術は、ノートブックコンピュータのコンセプトと更に結合されて、一般にタブレットコンピュータ（又はタブレットＰＣ）と称されるものを実現した。タブレットコンピュータは、入力ペン（スタイラス）又は直接触れることでユーザ入力を受け付けることができる表示装置を備えている。例示的なタブレットＰＣはエイサーアメリカから「トラベルメイト（ＴｒａｖｌｅＭａｔｅ）」の品名で市場で入手することができる。
【０００４】
従来のノートブックコンピュータと比較してタブレットＰＣでは、データ入力に片手のみが必要であるため、増進された可搬性が提供されると言える。入力スタイラスによって、使用者は片手でタブレットコンピュータを支持する一方、他方の手でデータを入力できる。しかし、タブレットＰＣは片手で長時間に渡って快適に支持するには重すぎる。
【０００５】
同様に、真の使用時の可搬性がノートブックコンピュータの問題である。ノートブックコンピュータは驚くべき商業上の成功を続けている。ノートブックコンピュータは、オフィスの据え置き型のデスクトップやタワーコンピュータシステムに比べて殆ど機能的な妥協を伴わずに可搬性を提供する。しかしながら、ノートブックコンピュータは、立った状態で使用するには使いにくく、或いは使用出来ないという意味で、完全な可搬性を有していない。入手可能なより軽量のノートブックＰＣでさえ、実用的な時間に渡って使用者が片手で保持するには重すぎる。更に、効率的なキーボード入力やカーソル制御（例えば、タッチパッド）には両手の使用を必要とする。
【０００６】
ハンドフリーでのラップトップコンピュータの支持のための器具が提案されている。例えば、ボルクに付与された米国特許第５，６６７，１１４号は、立った状態でラップトップコンピュータを支持する装置に関する。この装置は、プラットフォームと、ストラップにそれぞれ連結された一対の支持部材とを含む。マダリ等に付与された米国特許第６，３８１，１２７号は、平面的な支持台であって、その先端に取り付けられた肩紐を備える支持台と、その支持台の後端に取り付けられた背紐を有するラップトップコンピュータ支持具に関する。
【特許文献１】米国特許第５，６６７，１１４号公報
【特許文献２】米国特許第６，３８１，１２７号公報
【発明の開示】
【発明が解決しようとする課題】
【０００７】
このような従来のデザインは、これまでのところ商業的には成功していない。従来の支持のデザインは、いずれも使用者が交換するのに簡単ではなく、いずれもコンピュータ装置の適切な周辺保護を提供していない。
【０００８】
必要とされているものは、使用者が起立している状態で、タブレット及びノートブックＰＣの双方を保護し、支持するのに適した丈夫なキャリアデザインである。更に、使用時の形態とキャリングケース（手提げ鞄）の形態との間で容易に切り替えできるキャリアを提供することが望ましいであろう。
【課題を解決するための手段】
【０００９】
本発明のキャリアは、起立状態での使用を許容するようにタブレット及びノートブックＰＣのハンドフリーでの支持を提供する。特に、本発明のキャリアシステムは、使用時の形態とキャリングケースの形態の間で切り替えが可能である。
【００１０】
本発明のキャリアは、内側部分及び外側部分を有するプラットホームと、前記外側部分から延びる側壁とを備える。前記プラットホームと前記側壁が協働して、タブレットコンピュータを受容するように適合された上部解放の容器を提供する。前記容器は、ユーザーストラップの対向する端部を連結するための固定具を取付又はさもなくば固定するための少なくとも２つの対向部分を有する。
【００１１】
前記側壁は、好ましくは、タブレットＰＣの上部の表示表面又はノートブックＰＣのキーボード表面の外縁部分と重なるように適合された弾性のある織地である。キャリアにコンピュータが装荷されたときには側壁の向きは変わる場合があるが、キャリアが装荷されていないときには、好ましくは、側壁はプラットホームの内側部分に向けて内側に傾斜している。
【発明を実施するための最良の形態】
【００１２】
ここに開示される発明は、当然のことながら多くの異なる態様の実施形態を許容する。図面に示され、ここに詳述されるものは本発明の好ましい実施形態である。しかしながら、本開示は本発明の原理の例示であり、開示された実施形態に本発明を限定するものでないことを理解すべきである。
【００１３】
図１〜５を参照すると、タブレット型のパーソナルコンピュータ１２の形態の電子表示装置とともに本発明に従うキャリア１０が示されている。タブレットＰＣ１２は、表示スクリーン−スタイラスの入力のための組合せ１４を有する。キャリア１０は、プラットホーム１６、側壁１８及びカバー２０を有する。プラットホーム１６は内側部分２２と外側の外縁部分２４を有する。側壁１８は、外側部分２４から延びて遠位端（又はリップ）２６において終端する。側壁１８及びプラットホーム１６が協働してタブレットＰＣ１２などの表示装置を受容するように適合された上部開口の容器２８を形成する。
【００１４】
プラットホーム１６は、平面的で実質的に矩形であり、好ましくは、剛性又は半剛性の挿入物（インサート）をキャンバス地を有する耐久性のナイロン織地３０（例えば、デュポン社の「Ｃｏｒｄｕｒａ」タイプの織地）でくるむことにより構成される。皮革及び合成皮革をプラットホーム１６及びキャリア１０の他の部分に使用することも考えられる。織地層３０は、好ましくは縫い付け３２により固定される。耐衝撃性を付与するために、上部の容器側３４及び底部の外側３６の一方又は双方において、上記インサートと織地層３０の間に（別途図示されない）発泡体や他の詰め物の層が任意的に配置される。プラットホーム１６の外側部分２４は端部３８で終端する。
【００１５】
側壁１８は、外側部分２４から延出するよう構成され、キャリア１０に表示装置１２が装荷されていないときには内側部分２２に向けて傾斜し又は湾曲している。コンピュータ又は他の表示装置が装荷されたときには、側壁１８の向きはその装置の相対的なサイズに応じて変化する。キャリア１０と表示装置１２のサイズは、側壁１８の遠位端２６が表示装置１２の上部表面１４の外縁部分に重なるように調整されていることが好ましい。キャリア１０が空か表示装置が装荷されているかに関わらず、側壁１８は内側部分２２に向かう凹状の断面を呈する。
【００１６】
側壁１８は、好ましくは、側壁が表示装置１２の周囲の覆いを形成することを許容するように、織地のような形態の弾性のある材料により形成される。側壁１８は、また、好ましくは、衝撃を吸収して表示装置１２を防護するように圧縮可能な材料により形成される。特に好ましい織地は、Ｇｌｏｍｅｘ社（カナダ国オンタリオ州）から市場で入手できる２．５ｍｉｌのニット被覆ポリクロロプレン発泡材料である。ポリクロロプレン（ネオプレン−デュポンダウエラストマーズ）を含む材料は、弾性があり圧縮可能である。
【００１７】
側壁１８は縫い付け３２によりプラットホーム１６に固定される。側壁１８又はプラットホームを覆う織地３０のいずれかの摩耗を防ぐために、シームのバインディング４０がプラットホーム１４の端部３８を覆っている。
【００１８】
表示装置のための特別の空気流又は冷却の必要特性に対処するために、側壁は穴のあいた、又はメッシュの材料４１で形成され、或いは図７に示すような穴あき部分を有することができる。
【００１９】
図１〜５に戻って、側壁は、実質的にプラットホーム１６の内側部分２２を枠取りしている（又は取り囲んでいる）。この完全な枠取りの形態が表示装置１２をキャリア１０に完全に固定するのに好ましいが、側壁に隙間が存在する変形形態も考えられる。例えば、簡略化された概略図である図８（側壁の隙間５０が示される）に示されるように、側壁１８が各角部４２、４４、４６及び４８の周辺において存在し、プラットホーム１６を完全に取り囲まなくてもよい。
【００２０】
再度図１〜５に戻って、側壁１８は、例えば対向側部５２Ａ、５２Ｂ及び対向側部５４Ａ、５４Ｂのような複数の対向側部を容器２８に提供する。この点において、「対向側部」の用語は、角部４２と４８や角部４４と４６などの対向する角部をも含む。容器２８は、対向側部５２Ａ及び５２Ｂのそれぞれにストラップ連結固定具５６Ａ及び５６Ｂを有する。ストラップ連結固定具５６Ａ及び５６Ｂは、それぞれ織地の輪６０Ａ及び６０Ｂにより側壁１８に取り付けられたＤリング５８Ａ及び５８Ｂを含む。
【００２１】
上記したように側壁１８は４つの角部４２、４４、４６及び４８を規定する。キャリア１０は、少なくとも一つの、しかし、好ましくは２以上の角部ストラップ６２、６４を含む。斜めストラップと称することもできる角部ストラップ６２、６４は、好ましくは、側壁１８とプラットホーム１６の隣接する側部に縫い付けられた弾性のある長紐である。角部ストラップ６２及び６４は、更に、表示装置をキャリア１０に固定する。３以上の角部に渡るストラップも考えられるが、より長い側部５４Ｂに配列された角部ストラップ（６２及び６４）がノートブックＰＣを収容するためには好ましい。
【００２２】
本発明のキャリアは、少なくとも一組の対向部分を有し、各対向部分は少なくとも一つの固定具を有している。例えば、キャリア１０は側部５２Ａに固定具５６Ａを有し、対向側部５２Ｂに固定具５６Ｂを有している。更に後述されるように、少なくとも一組の連結固定具は、対向部分に分配されることで、（図２に最も良く示されるように）使用者の肩又は首に掛けられたストラップ６６でつり下げられたときの安定性を提供する。ストラップ６６は対向端部６８Ａ及び６８Ｂを有している。ユーザーストラップ６６の各端部６８Ａ及び６８Ｂは、それぞれＤリング５８Ａ、５８Ｂに係合するためのスイベル式フック７０Ａ及び７０Ｂを有している。
【００２３】
図１及び６に最も良く示されるように、本発明の好ましい実施形態は、ユーザーストラップ６６と容器２８の間に連結された安定ストラップ７２を有している。より詳細には、安定ストラップ７２は、ユーザーストラップ６６の各対向端６８Ａ、６８Ｂの近くの結合部の間で、側壁１８に縫い付けられた輪７４、７６を介して延びている。ここで使用されるように、安定ストラップの用語は、メインのユーザーストラップ６６と輪７４のような容器２８上の一点の間で結合された機械的なリンク、ライン、紐、ロープ、ケーブル又はその類似物に言及したものである。安定ストラップ７２は、スナップ式の連結部材７８によってユーザーストラップ６６に取り外し可能に接続される。図６に示すようなノートブック型のコンピュータ８０を支持するためにキャリア１０が使用されるときに、安定ストラップ７２は配置される。蓋を開けたときには、ノートブックＰＣの重みは後ろのスクリーン側８２に向けて不均一に分配される。安定ストラップのリンクは、キャリア１０の後部５４Ａに向かうこの余剰の力に対抗する。
【００２４】
キャリア１０は、容器２８にヒンジ付けされ、キャリングケース位置（図３、５）と使用時の容器開放位置（図１、４）の間で可動のカバー２０を有する。カバー２０は、メインパネル８４、末端部の垂れ蓋（フラップ）８６及びヒンジ９０を含む。カバー２０は、プラットホーム１６と同様の材料で形成される。メインパネル８４及びフラップ８８は、それぞれ、織地にくるまれた剛性又は半剛性のインサートを含む。メインパネル８４の上部側９２は、好ましくは、織地層とインサートの間の詰め物を含む。ヒンジ部９０をプラットホーム１６に取り付け、ヒンジ９０及びフラップ８８の双方をパネル８４に取り付けるために、縫い付け３２が使用される。
【００２５】
カバー２０は、取り外し可能に係合できる相補的なファスナー９４及び９６を使用して、キャリングケース位置（図３、５）及び開放位置（図１、４）に移動可能に固定される。これらのファスナーは、Ｖｅｌｃｒｏ  Ｉｎｄｕｓｔｒｉｅｓ  Ｂ．Ｖ．（ニューハンプシャー州マンチェスター）及び他の小売業者から「ベルクロ（ＶＥＬＣＲＯ）」の商品名で市場で入手できる。これらの結合部材は、小ループ（即ちパイル）の形態の複数の繊維を有する一の領域と、小フックの形態の複数の比較的堅い繊維を有する、ここではマルチ小フックパッドとも示称する一の領域を含む。この小フックの領域は、バール（ｂｕｒｒ）とも呼ぶことができる。
【００２６】
プラットホーム１６の下側３６には細長いパイル領域９４を有し、フラップ８８は相補的な細長いフック領域９６を有する。キャリングケース位置（図３、５）では、カバー２０は、容器２８の上に延在し、フラップ８８は領域９４と９６が噛み合うように側部５４Ｂを覆う。使用位置（図１、４）では、カバー２０及びフラップ８８は、同じ結合領域９４、９６を許容するように背部に折り畳まれる。
【００２７】
図１に示されるように、キャリア１０は、表示装置１２を容器２８の中に更に固定するために、中心に位置する締め付けストラップ９８を含むことができる。締め付け具９８は、容器２８を覆う位置（図１）からカバー２０を覆う収納位置に移動可能である。カバー２０を覆っているときは、締め付け具９８は、カバー２０を折り畳み位置に保持する追加的な安全装置として作用する。締め付け具９８は両側に、展開されたときには容器２８のパイル部材１０２（図１）と噛み合い、収納されたときにはカバー２０のパイル部材１０４（図４）と噛み合うベルクロの小フック部材１００を有する。
【００２８】
表示装置１２が使用中であり、キャリア１０が使用者に（図２に示すように）装着されたときの安定性を高めるために、ストラップ固定具５６Ａ、５６Ｂは、好ましくは、それぞれ対向側部５２Ａ、５２Ｂの中心部分に向けて位置決めされる。この中心への位置決めは、キャリア１０が使用位置にあるときの安定性を高めるように作用するが、キャリア１０がキャリングケース位置にあるときには不安定性を生じさせる可能性がある。キャリア１０がキャリングケース位置でストラップ６６につり下げられたときにグラグラしたり、ひっくり返ったりすることを防ぐために、本発明は二次的ストラップ固定具１０４を各側部５２Ａ、５２Ｂに提供する。二次的ストラップ固定具（好ましくはスナップの凸片）１０４は、ストラップ６６の両端６８Ａ、６８Ｂの結合片（好ましくはスナップの凹片）１０６を取り外し可能に受容する。図示されるように、安定ストラップ７２と二次的固定具１０４はストラップ６６の両端６８Ａ、６８Ｂの同一の結合片１０６を共用している。相互に結合されたときに、これらの二次的結合部材がキャリングケース（又は手提げ鞄）の形態にある際のキャリア１０の安定性を改善する。
【００２９】
本発明の他の重要な特徴は、スタイラスつなぎ具１０８である。通常のタブレットＰＣは、スタイラス１１０に表示スクリーン（例えば、スクリーン１４）上での書き込み入力を提供する。つなぎ具１０８は、（容器２８に取り付けられた）紐部分１１２と紐に取り付けられたスタイラス１１０を把持するための弾性バンド１１４を含む。つなぎ具１０８は、スタイラスの置き忘れを防ぐ。
【００３０】
図９に示されるのは、本発明の他の実施形態である。キャリア２１０は、タブレットＰＣ１２などの表示装置を更に固定するためのクランプ２１３を含む。図１０及び１１は好ましいクランプ機構を示す。このような掛け金式のクランプ機構が好ましいが、図１２に示されるようなバネ付勢式のクランプ３１９も考えられる。
【００３１】
図１〜６に戻ってより一般的な用語で記述すると、本発明は、タブレットコンピュータ１２を、通常の携帯状態（即ち、タブレット１２をケース１０から取り落とす試みを唯一の目的とした意図的な荒々しい急な動きをしないこと）ではどのようにケースが携帯されても、ケースから取り落とすことなく、タブレットモード（図２）においてはコンピュータ１２を使用できるようにスクリーンを露出させた状態で、安全にかつこじんまりと手提げ鞄１０の中に保持することができる１以上の新しい手段を記述する。
【００３２】
開示されているものは、コンピュータがタブレットモードにあるときは、スクリーン１４の表面を覆う広い面８４（典型的には、約８．５インチ×１１インチ）を他の広い（８．５インチ×１１インチ）表面１６に持たせ掛けるように、裏の下に折り畳むことができ、スナップ、ベルクロ又は何らかの他の手段によってタブレットコンピュータが使用のために露出するように、そこに保持されるぴったりサイズのコンピュータケース１０である。
【００３３】
広い表面１６、９２は、合板や頑丈なプラスチック板のインサートを備えたカンバス、合成素材、綿又は実用的な素材により形成され、貫通性の衝撃に対する保護を提供する。広い表面１６、９２及び合板／頑丈なプラスチック板は、実際のコンピュータタブレット１２よりも僅かに大きく、これにより、ちょっとした落下の衝撃を吸収する。
【００３４】
補強板（ガセット）１８、即ち、概ね１〜２インチ幅であるタブレットコンピュータ１２の狭い幅を覆う材料は、好ましくは、広幅弾性バンドやネオプレンなどの強い引き延ばし可能な材料である。ガセット１８は、コンピュータ１２がガセット１８及びケースの内側の所定位置に押しつけられるように、コンピュータの幅周辺で可能な最もぴったりとした適合を提供する態様で、コンピュータケース１０の台座又は背面の広い表面１６に縫い合わされている。ガセット１８そのものは、コンピュータ１２を大変強固に保持するに十分な程度にしっかりとしており、ガセット１８は、コンピュータの幅を抱え込む弾性タイプの材料が、その端部の上に延び、更に、コンピュータスクリーン１４が配置される（図１参照）広い表面上に僅かに延びるように、タブレットコンピュータ１２の幅よりも少なくとも１／４インチ広い。この弾性のあるガセット１８は、大変快適にフィットし、コンピュータ１２がケース１０から落下することに対する顕著な安全性を提供するが、タブレットコンピュータ１２が落下しないことを確実にする要素６２、６４を追加することはなおも有用である。
【００３５】
これらの追加的な要素とともに、弾性型のガセット１８が本発明に特有で革新的な特徴を表す。
【００３６】
本明細書においていくつかの異なる機構が特定され、これらにより、タブレットコンピュータ１８が、単独で、又はそれぞれ組み合わされてケース１０内に保持され得る。一般のタブレットコンピュータ１２は、タブレットスクリーン１４の周囲に概略１／２インチの広さの余地を有している。従って、コンピュータ１２の端部を越えて広い表面１４上に延びる任意の要素２６は、好ましくは任意の側部において概略１／４インチに制限されることが好ましい。各タブレットコンピュータは、この１／２インチの余地上の効果的な位置に機能ボタンやインジケーターを配置し得る種々のデザインを有する。従って、タブレットコンピュータを所定の場所に固定することを助けるために使用される任意の追加的な要素は、これらのコンピュータボタンやインジケーターを考慮し、これらのコンピュータの造作を妨害又は阻止することを避けるように配置されることが好ましい。いくつかの追加的な要素は、単独又は組み合わされて考慮される。
【００３７】
弾性体の紐６２、６４は、コンピュータ１２を所定の場所に保持し、コンピュータがガセット１８から滑り落ちないように（図１参照）、２以上の角部４２、４４において、これらに渡ってガセット１８に斜めに縫い付けられる。
【００３８】
コンピュータスクリーンの外縁全体が実質的に薄いヨークにより覆われ、これにより、コンピュータがガセット及びケース内の所定位置に保持されるように、２又は３側のヨークをガセットの上部端に縫い付けることができる。ガセットの３又は４の側部の内側上及び／又はコンピュータタブレットが配置される広い表面の内側上にベルクロを配置することができる。相補的なベルクロの細片は、使用者がこれらの細片をコンピュータの側部や下側に取り付けることができるように、使用者がケースを購入したときに使用者に提供することができる。このように、使用者がコンピュータを所定の位置に押し入れたときに、コンピュータは、十分に堅いガセット及びベルクロの細片によりしっかりと保持される。
【００３９】
実質的に手帳のバインダーに似た小さな締め具２１３は、下部の広いパネル１８（８．５インチ×１１インチ）の合板に強固に固定されたときに、コンピュータ１２がネオプレン／弾性体のガセット１８の内側に配置された際に所有者がコンピュータ１２を所定位置に固定することを許容する。そして、圧縮レバー２２１が押さえられて所定位置に強固に固定され、コンピュータを所定位置に保持するようにコンピュータに圧力が加えられる。手帳のバインダーと同様に、小さなレバー２２１を押し下げて締め具２１３を解除すると、タブレットコンピュータ１２が解放されてケース１０から取り出すことができる（図９〜１１参照）。
【００４０】
ゴムやコンピュータの表面との接触を和らげる他の物質で被覆されたバネ式の金属クランプ３１９を、ネオプレンのガセット１８の内側のコイルバネ上に５〜１０ポンドの力をもって台座／背部の広い表面（又はプラットホーム）３１６（８．５インチ×１１インチ）にリベット止めすることができる。従って所有者は、コンピュータ１２がネオプレン１８及びバネ式クランプ３１９（図１２）の双方により保持されるように、ネオプレンのカフ／ガセット１８の内側の所定の位置で可撓性のあるバネ式クランプのアーム３２３の下にコンピュータ１２を配置することができる。
【００４１】
これらの機構のそれぞれは、好ましい影響を有することができ、個別又は組み合わせて使用されたときの結果は新規な手段であり、この手段により、タブレットコンピュータの所有者が、コンピュータケースの中のコンピュータを、立った状態、座った状態又は歩いた状態で使用することができる。
【００４２】
図１３を参照すると、キャリア１０は、任意的ではあるが、キャリア１０がキャリングケースの態様であってユーザーストラップ６６が使用されていないときにユーザーストラップ６６を保持又はさもなくば格納するためのシステムを含むことが好ましい。従って、キャリア１０は、ユーザーストラップ６６（又は他のストラップ）をキャリア１０上に保持するための保持ストラップ１１８を含みうる。
【００４３】
発明者が知る本発明を実施するための最良の形態を含む本発明の好ましい実施形態がここに開示された。これらの好ましい実施形態の変形形態が、上記記述を読むことにより当業者に明らかとなり得る。発明者は、当業者がこれらの変形形態を適切なものとして採用することを予期しており、発明者は、本明細書に特に記述されたとは異なるように本発明が実施されることを意図している。従って、本発明は、適用法が許容するところに従って、本明細書に添付された特許請求の範囲に述べられる主題の全ての改変と均等物を含む。更に、ここに明記され、或いは文意に明確に矛盾しない限り、全ての可能な変形形態における上記要素の任意の組合せが本発明に含まれる。
【図面の簡単な説明】
【００４４】
【図１】タブレットＰＣが装荷された開放状態の本発明に従うキャリアの斜視図。
【図２】本発明のキャリアを装着したコンピュータ使用者の斜視図であり、使用状態にあるキャリアを示す斜視図。
【図３】キャリングケースの態様でのキャリアの斜視図。
【図４】安定ストラップが配置された使用位置にあるキャリアの側部正面図。
【図５】ユーザーストラップが二次的固定具に取り付けられたキャリングケースの態様のキャリアの側部正面図。
【図６】安定ストラップが配置された状態でノートブックＰＣが装荷された使用中の本発明に従うキャリアの斜視図。
【図７】側壁が穴のあいたメッシュ材料である本発明の他の実施形態に従うキャリアの斜視図。
【図８】側壁に間隙を有する本発明の他の実施形態に従うキャリアの簡略化された概略図。
【図９】容器が表示装置を固定するためのクランプを有する本発明の他の実施形態に従うキャリア。
【図１０】開放状態で示される装置のクランプの斜視図。
【図１１】締め付け状態で示される装置のクランプの斜視図。
【図１２】バネ付勢式のクランプを有するプラットホーム部分を示す簡略化された概略図。
【図１３】任意的な要素を備えるキャリアの側部正面図。
【図１】
2007514213.tif 000003
【図２】
2007514213.tif 000004
【図３】
2007514213.tif 000005
【図４】
2007514213.tif 000006
【図５】
2007514213.tif 000007
【図６】
2007514213.tif 000008
【図７】
2007514213.tif 000009
【図８】
2007514213.tif 000010
【図９】
2007514213.tif 000011
【図１０】
2007514213.tif 000012
【図１１】
2007514213.tif 000013
【図１２】
2007514213.tif 000014
【図１３】
2007514213.tif 000015
【国際調査報告】
2007514213.tif 000016
2007514213.tif 000017